(57)【要約】      （修正有）【課題】透明ＬＥＤ表示モジュールを提供する。【解決手段】バックプレート１、係着ストリップ及び複数のストリップライトを含み、係着ストリップ上には前記ストリップライトの位置を制限するための複数の係着溝が設けられ、前記係着ストリップ上にはハンドル５が設置され、前記バックプレート上には前記ハンドルを通す貫通穴６が設けられて、使用者の運搬及びメンテナンスを便利にするハンドルを有し、構造が安定しており、使用者による運搬時、透明ＬＥＤ表示モジュールが壊れにくい。【選択図】図１
0003225477.tif 000002
【実用新案登録請求の範囲】
【請求項１】
バックプレート、係着ストリップ及び複数のストリップライトを含み、前記係着ストリップ上には前記ストリップライトの位置を制限するための複数の係着溝が設けられ、前記係着ストリップ上にはハンドルが設置され、前記バックプレート上には前記ハンドルを通す貫通穴が設けられている
ことを特徴とする透明ＬＥＤ表示モジュール。
【請求項２】
前記ハンドルと係着ストリップとは一体成型されている
ことを特徴とする請求項１に記載の透明ＬＥＤ表示モジュール。
【請求項３】
前記バックプレート上にはさらに放熱穴が設けられている
ことを特徴とする請求項１に記載の透明ＬＥＤ表示モジュール。
【請求項４】
前記ストリップライトは前記バックプレートに当接されており、前記ストリップライト上には前記係着ストリップから退避するための第一退避溝が設けられている
ことを特徴とする請求項１に記載の透明ＬＥＤ表示モジュール。
【請求項５】
前記係着溝の一側には第二退避溝が設けられている
ことを特徴とする請求項１に記載の透明ＬＥＤ表示モジュール。
【請求項６】
さらに前記バックプレート上に固定されているアダプターボードを含み、前記ストリップライトの一端は前記アダプターボードと固定されて且つ電気的に接続され、前記アダプターボード上には少なくとも一つのインターフェースが設置され、前記バックプレート上には前記インターフェースを外に露出させるための溝孔が設けられている
ことを特徴とする請求項１に記載の透明ＬＥＤ表示モジュール。
【請求項７】
さらに側辺固定板を含み、前記ストリップライトの他端は前記側辺固定板上に固定されている
ことを特徴とする請求項６に記載の透明ＬＥＤ表示モジュール。
【請求項８】
前記バックプレートとアダプターボード上にはそれぞれ位置決め穴が設けられ、且つ、前記バックプレート上の前記位置決め穴は前記アダプターボード上の前記位置決め穴と位置を合わせて設けられている
ことを特徴とする請求項６に記載の透明ＬＥＤ表示モジュール。
【請求項９】
さらに前記バックプレートと固定接続されているフロントプレートを含み、前記ストリップライト及び前記係着ストリップはそれぞれ前記フロントプレートと前記バックプレートの間に位置し、前記係着ストリップの前記バックプレートから遠く離れる側面は前記フロントプレートに当接され、前記ストリップライトと前記フロントプレートとの間に隙間が存在する
ことを特徴とする請求項１に記載の透明ＬＥＤ表示モジュール。
【請求項１０】
前記バックプレートの前記フロントプレートに近い側には複数の位置決め柱が設置され、前記位置決め柱は前記フロントプレートに当接されている
ことを特徴とする請求項９に記載の透明ＬＥＤ表示モジュール。
【考案の詳細な説明】
【技術分野】
【０００１】
本願はＬＥＤディスプレイの技術分野に関し、特に透明ＬＥＤ表示モジュールに関する。
【背景技術】
【０００２】
従来の透明ＬＥＤ表示モジュールはバックプレート及びバックプレート上に取り付けられている複数のストリップライトを含み、隣り合うストリップライトの間の間隔を保証するために、普通では、バックプレート上に係着ストリップを設置し、係着ストリップ上にはストリップライトの位置を制限するための複数の係着溝が設けられており、係着溝はストリップライトと一対一で対応している。
【０００３】
従来の透明ＬＥＤ表示モジュールでは、組立作業者による力の作用に便利な位置がないため、組立作業者は運搬時、不便に感じてしまう。
【考案の概要】
【考案が解決しようとする課題】
【０００４】
本考案が解決しようとする技術問題は、運搬が便利な透明ＬＥＤ表示モジュールを提供することである。
【課題を解決するための手段】
【０００５】
上記の技術的問題を解決するために、本考案が採用する技術案は透明ＬＥＤ表示モジュールであり、バックプレート、係着ストリップ及び複数のストリップライトを含み、前記係着ストリップ上には前記ストリップライトの位置を制限するための複数の係着溝が設けられ、前記係着ストリップ上にはハンドルが設置され、前記バックプレート上には前記ハンドルを通す貫通穴が設けられている。
【０００６】
なお、前記ハンドルは係着ストリップと一体成型されている。
【０００７】
なお、前記バックプレート上にはさらに放熱穴が設けられている。
【０００８】
なお、前記ストリップライトは前記バックプレートに当接されており、前記ストリップライト上には前記係着ストリップから退避するための第一退避溝が設けられている。
【０００９】
なお、前記係着溝の一側に第二退避溝が設けられている。
【００１０】
なお、さらに前記バックプレート上に固定されているアダプターボードを含み、前記ストリップライトの一端は前記アダプターボードと固定されて且つ電気的に接続され、前記アダプターボード上には少なくとも一つのインターフェースが設置され、前記バックプレート上には前記インターフェースを外に露出させるための溝孔が設けられている。
【００１１】
なお、さらに側辺固定板を含み、前記ストリップライトの他端は前記側辺固定板上に固定されている。
【００１２】
なお、前記バックプレートとアダプターボード上にはそれぞれ位置決め孔が設けられ、且つ、前記バックプレート上の前記位置決め孔は前記アダプターボード上の前記位置決め孔と位置を合わせて設けられている。
【００１３】
なお、さらに前記バックプレートと固定接続されているフロントプレートを含み、前記ストリップライト及び前記係着ストリップはそれぞれ前記フロントプレートと前記バックプレートの間に位置し、前記係着ストリップの前記バックプレートから遠く離れる側面は前記フロントプレートに当接され、前記ストリップライトと前記フロントプレートとの間に隙間が存在する。
【００１４】
なお、前記バックプレートの前記フロントプレートに近い側には複数の位置決め柱が設置されており、前記位置決め柱は前記フロントプレートに当接されている。
【００１５】
本考案の有益効果は、透明ＬＥＤ表示モジュールがハンドルを有することで、使用者による運搬及びメンテナンスが便利になること、及びバックプレートに比べて、係着ストリップの局部エリアはより大きいせん断力を受けることができるので、ハンドルを係着ストリップと接続することで、透明ＬＥＤ表示モジュールの構造安定性を保証でき、使用者の運搬時、透明ＬＥＤ表示モジュールは壊れにくいことである。
【図面の簡単な説明】
【００１６】
【図１】本考案の実施例１の透明ＬＥＤ表示モジュールの全体構造の模式図である。
【図２】本考案の実施例１の透明ＬＥＤ表示モジュールの断面図である。
【図３】図２における細部Ａでの拡大図である。
【図４】本考案の実施例１の透明ＬＥＤ表示モジュールの分解図である。
【図５】図４における細部Ｂでの拡大図である。
【考案を実施するための形態】
【００１７】
本考案の技術的内容、実現する目的及び効果を詳しく説明するために、以下では、実施形態を組み合わせて、且つ図面を合わせて説明する。
【００１８】
本考案の一番重要な構想は、透明ＬＥＤ表示モジュール上にハンドルを設置することで、使用者の運搬、メンテナンスを便利にすること、及びハンドルを係着ストリップと接続することで、透明ＬＥＤ表示モジュールが運搬時に意外な損傷を受けるのを防止できることである。
【００１９】
図１から図５を参照し、透明ＬＥＤ表示モジュールはバックプレート１、係着ストリップ２及び複数のストリップライト３を含み、前記係着ストリップ２上には前記ストリップライト３の位置を制限するための複数の係着溝４が設けられ、前記係着ストリップ２上にはハンドル５が設置され、前記バックプレート１上には前記ハンドル５を通す貫通穴６が設けられている。
【００２０】
上記の説明から、本考案の有益効果は、透明ＬＥＤ表示モジュールがハンドルを有することで、使用者による運搬やメンテナンスが便利になること、及びバックプレートに比べて、係着ストリップの局部エリアはより大きいせん断力を受けることができるので、ハンドルを係着ストリップと接続することで、透明ＬＥＤ表示モジュールの構造安定性を保証でき、使用者の運搬時、透明ＬＥＤ表示モジュールは壊れにくいことであることが、明らかになる。
【００２１】
なお、前記ハンドル５は係着ストリップ２と一体成型されている。
【００２２】
上記の説明からわかるように、ハンドルは係着ストリップと一体成型されているので、加工しやすく、製造コストの削減に有利である。
【００２３】
なお、前記バックプレート１上にはさらに放熱穴７が設けられている。
【００２４】
上記の説明から、バックプレート上に放熱穴を設置することで、透明ＬＥＤ表示モジュールの放熱性能を強化できることが分かる。
【００２５】
なお、前記ストリップライト３は前記バックプレート１に当接されており、前記ストリップライト３上には前記係着ストリップ２から退避するための第一退避溝８が設けられている。
【００２６】
上記の説明から、ストリップライトの端面をバックプレートに当接することで、透明ＬＥＤ表示モジュールの構造安定性の向上に有利であることが分かる。
【００２７】
なお、前記係着溝４の一側に第二退避溝９が設けられている。
【００２８】
上記の説明から、係着溝に連通する第二退避溝はストリップライト上の素子（例えばチップビーズ等）から退避するためのものであることが分かる。
【００２９】
なお、さらに前記バックプレート１上に固定されているアダプターボード１０を含み、前記ストリップライト３の一端は前記アダプターボード１０と固定されて且つ電気的に接続され、前記アダプターボード１０上には少なくとも一つのインターフェース１１が設置され、前記バックプレート１上には前記インターフェース１１を外に露出させるための溝孔１２が設けられている。
【００３０】
上記の説明から、透明ＬＥＤ表示モジュールは上記インターフェースを通してディスプレイ箱体との電気的接続及び信号接続を実現することが分かる。
【００３１】
なお、さらに側辺固定板１３を含み、前記ストリップライト３の他端は前記側辺固定板１３上に固定されている。
【００３２】
上記の説明から、側辺固定板、ストリップライトとアダプターボードとで一つのグリッド構造を形成し、透明ＬＥＤ表示モジュールの構造安定性の更なる向上に有利であることが分かる。
【００３３】
なお、前記バックプレート１とアダプターボード１０上にはそれぞれ位置決め孔１４が設けられ、且つ、前記バックプレート１上の前記位置決め孔１４は前記アダプターボード１０上の前記位置決め孔１４と位置を合わせて設けられている。
【００３４】
上記の説明から、位置決め孔の設置により、使用者が透明ＬＥＤ表示モジュールを外部の部材（例えばディスプレイの箱体）上に取り付けるのを便利にし、使用者による操作を便利にして、使用者の体験の改善に有利であることが、分かる。
【００３５】
なお、さらに前記バックプレート１と固定接続されているフロントプレート１５を含み、前記ストリップライト３及び前記係着ストリップ２はそれぞれ前記フロントプレート１５と前記バックプレート１の間に位置し、前記係着ストリップ２の前記バックプレート１から遠く離れる側面は前記フロントプレート１５に当接され、前記ストリップライト３と前記フロントプレート１５との間に隙間１６が存在する。
【００３６】
上記の説明から、係着ストリップをフロントプレートに当接することで、透明ＬＥＤ表示モジュールの構造安定性をさらに向上でき、ストリップライトとフロントプレートとの間の隙間はストリップライト上のチップビーズに十分な防護を提供することが分かる。
【００３７】
なお、前記バックプレート１の前記フロントプレート１５に近い側には複数の位置決め柱１７が設置されており、前記位置決め柱１７は前記フロントプレート１５に当接されている。
【００３８】
上記の説明から、位置決め柱の設置により、フロントプレートとバックプレートの間の間隔を保証でき、フロントプレートが十分な支持を受けるようにして、透明ＬＥＤ表示モジュールの構造をより安定させることが分かる。
【００３９】
実施例１
図１から図５を参照し、本考案の実施例１は透明ＬＥＤ表示モジュールであり、バックプレート１、係着ストリップ２及び複数のストリップライト３を含み、前記係着ストリップ２上には前記ストリップライト３の位置を制限するための複数の係着溝４が設けられ、前記ストリップライト３は前記係着ストリップ２を通して前記バックプレート１上に固定され、前記係着ストリップ２上にはハンドル５が設置され、前記バックプレート１上には前記ハンドル５を通す貫通穴６が設けられている。
【００４０】
本実施例では、前記ハンドル５は係着ストリップ２と一体成型されている。本実施例では、前記ハンドル５は係着ストリップ２と一体として射出成型されている。前記ハンドル５と前記係着ストリップ２とは別体として設置されてもいいことは、容易に理解できるであろう。別体として設置されるハンドル５と係着ストリップ２は螺接、接着或いは係接されることが可能である。
【００４１】
透明ＬＥＤ表示モジュールの放熱性能を向上させるために、前記バックプレート１上にはさらに放熱穴７が設けられている。
【００４２】
前記ストリップライト３は前記バックプレート１に当接されており、前記ストリップライト３上には前記係着ストリップ２から退避するための第一退避溝８が設けられ、前記係着溝４の一側には第二退避溝９が設けられている。
【００４３】
なお、さらに前記バックプレート１上に固定されているアダプターボード１０を含み、前記ストリップライト３の一端は前記アダプターボード１０と固定されて且つ電気的に接続され、前記アダプターボード１０上には少なくとも一つのインターフェース１１が設置され、前記バックプレート１上には前記インターフェース１１を外に露出させるための溝孔１２が設けられている。さらに側辺固定板１３を含み、前記ストリップライト３の他端は前記側辺固定板１３上に固定され、好ましくは、前記側辺固定板は前記バックプレート１と固定接続されている。詳しくは、前記側辺固定板１３と前記ストリップライト３との間及び前記アダプターボード１０と前記ストリップライト３との間にはそれぞれ位置係止構造が設置され、位置係止構造は位置係止切り欠きを含むが、それに限定されない。位置係止構造はストリップライト３とアダプターボード１０及びストリップライト３と側辺固定板１３との接続をより安定させることが可能である。
【００４４】
透明ＬＥＤ表示モジュールと外部の部材（例えばディスプレイの箱体）との接続を便利にするために、前記バックプレート１とアダプターボード１０上にはそれぞれ位置決め孔１４が設けられ、且つ、前記バックプレート１上の前記位置決め孔１４は前記アダプターボード１０上の前記位置決め孔１４と一対一で位置を合わせて設けられている。本実施例では、前記位置決め穴１４は前記バックプレート１の四つの角部に位置する。なお、前記バックプレート１上にはさらに前記外部の部材と接続される取付具が設置されている。好ましくは、前記取付具は、取付ねじ穴である。
【００４５】
さらに前記バックプレート１と固定接続されているフロントプレート１５を含み、前記ストリップライト３及び前記係着ストリップ２はそれぞれ前記フロントプレート１５と前記バックプレート１の間に位置し、前記係着ストリップ２の前記バックプレート１から遠く離れる側面は前記フロントプレート１５に当接され、前記ストリップライト３と前記フロントプレート１５との間に隙間１６が存在する。
【００４６】
詳しくは、前記バックプレート１の前記フロントプレート１５に近い側には複数の位置決め柱１７が設置されており、前記位置決め柱１７は前記フロントプレート１５に当接されている。より具体的に、前記位置決め柱１７の前記バックプレート１から遠く離れる端にはねじ穴が設けられ、前記フロントプレート１５はねじを利用して、ねじを通して前記位置決め柱上に固定して、前記バックプレート１との接続や固定を実現する。前記位置決め柱１７の長さは前記係着ストリップの厚さ以上であり、好ましくは、前記位置決め柱１７の長さは前記係着ストリップ２の厚さと等しい。こうして、係着ストリップ２の相反する二つの側面をそれぞれフロントプレート１５とバックプレート１に当接することで、透明ＬＥＤ表示モジュール構造の安定性の向上に有利である。
【００４７】
本実施例では、前記係着ストリップ２上には複数の重量軽減溝１８が設けられ、前記フロントプレート１５と前記バックプレート１はそれぞれ透明板であり、前記透明板の材質は好ましくＰＣであり、前記係着ストリップ２と前記ハンドル５は透明材料で作られており、透明材料は好ましくはＰＣである。
【００４８】
以上をまとめると、本考案が提供する透明ＬＥＤ表示モジュールは、使用者による運搬やメンテナンスを便利にするハンドルを有し、構造が安定しており、使用者の運搬時、透明ＬＥＤ表示モジュールは壊れにくく、ハンドルと係着ストリップとは一体成型され、加工しやすく、製造コストの削減に有利でありバックプレート上に放熱穴を設置することで、透明ＬＥＤ表示モジュールの放熱性能を強化できる。
【００４９】
以上に述べたことは本考案の実施例に過ぎず、それによって本考案の特許の範囲を制限するわけではない。本考案の明細書及び添付図面の内容を利用してなされた等価構造変換、或いは関連する技術分野への直接／間接的の応用は、何れも同じ理由で本考案の特許の保護範囲に含まれる。
【符号の説明】
【００５０】
１  バックプレート
２  係着ストリップ
３  ストリップライト
４  係着溝
５  ハンドル
６  貫通穴
７  放熱穴
８  第一退避溝
９  第二退避溝
１０  アダプターボード
１１  インターフェース
１２  溝穴
１３  側辺固定板
１４  位置決め穴
１５  フロントプレート
１６  隙間
１７  位置決め柱
１８  重量軽減溝
【図１】
0003225477.tif 000003
【図２】
0003225477.tif 000004
【図３】
0003225477.tif 000005
【図４】
0003225477.tif 000006
【図５】
0003225477.tif 000007